(57)【要約】【課題】光源から出射される光がアンテナによって遮られることを抑制できる照明器具を提供する。【解決手段】照明器具１００は、光源７３と、光源基板７０と、無線通信部４とを備える。光源７３は、光を出射する。光源基板７０には、光源７３が配置される。無線通信部４は、電波を受信するアンテナを有する。光源基板７０は、第１基板面７０ａと第１基板面７０ａとは反対側の第２基板面７０ｂとを有する。第１基板面７０ａには、光源７３が配置される。無線通信部４は、第２基板面７０ｂ側に配置される。【選択図】図２
2020053317.tif 000002
【特許請求の範囲】
【請求項１】
光を出射する光源と、
前記光源が配置される光源基板と、
電波を受信するアンテナを有する無線通信部と
を備え、
前記光源基板は、前記光源が配置される第１基板面と、前記第１基板面とは反対側の第２基板面とを有し、
前記無線通信部は、前記第２基板面側に配置される、照明器具。
【請求項２】
前記光源基板は、前記アンテナが受信する電波を通過させる第１領域を含み、
前記アンテナの少なくとも一部が前記第１領域と重なる、請求項１に記載の照明器具。
【請求項３】
前記光源基板は、前記第１領域とは異なる第２領域を含み、
前記光源基板は、前記光源に電力を供給する導電パターンを含み、
前記導電パターンは、前記第２領域に形成される、請求項２に記載の照明器具。
【請求項４】
前記第１領域は、前記光源基板を貫通する第１貫通孔を含む、請求項２又は請求項３に記載の照明器具。
【請求項５】
前記光源基板と前記無線通信部とを保持する保持部材を更に有し、
前記保持部材は、保持部材本体と前記保持部材本体を貫通する第２貫通孔とを有し、
前記保持部材本体は、第１保持面と前記第１保持面とは反対側の第２保持面とを有し、
前記無線通信部は、前記第１保持面側に配置され、
前記光源基板は、前記第２保持面側に配置され、
前記第２貫通孔は、前記第１領域と対向する位置に設けられる、請求項２〜請求項４のいずれか１項に記載の照明器具。
【請求項６】
前記アンテナは、前記第１保持面との間に隙間を有する、請求項５に記載の照明器具。
【請求項７】
前記第１基板面は、前記光源基板の外周に沿った光源配置領域を含み、
前記光源は、前記光源配置領域に配置され、
前記第１領域は、前記光源配置領域よりも内側に配置される、請求項２〜請求項６のいずれか１項に記載の照明器具。
【請求項８】
前記第１領域は、前記アンテナの少なくとも一部と重なる重なり領域と、前記重なり領域とは異なる周縁領域とを含む、請求項２〜請求項７のいずれか１項に記載の照明器具。
【請求項９】
前記無線通信部は、前記アンテナを含むアンテナ基板を有し、
前記アンテナ基板は、前記アンテナが設けられるアンテナ実装面を有し、
前記アンテナ実装面は、前記第１基板面と平行である、請求項１〜請求項８のいずれか１項に記載の照明器具。
【請求項１０】
前記光源に電力を供給する電源装置を更に備え、
前記電源装置は、前記光源基板の外周よりも内側に配置される、請求項１〜請求項９のいずれか１項に記載の照明器具。
【発明の詳細な説明】
【技術分野】
【０００１】
本発明は、照明器具に関する。
【背景技術】
【０００２】
無線通信装置を備える照明器具が提案されている。例えば、特許文献１には、受信感度の向上を図ることを目的とする照明器具が開示されている。特許文献１に開示の照明器具は、器具本体と、点灯ユニットとを備える。器具本体は、開口部を有する。点灯ユニットは、器具本体に対して着脱可能に取り付けられる。点灯ユニットは、取付板と、光源ユニットと、無線通信装置とを有する。取付板は、その下面（表面）が器具本体の開口部に対向する向きで器具本体内に収容される。取付板には、スリットが設けられる。光源ユニットは、取付板の下面に取り付けられて、照明器具の下方へ向けて光を出射する。無線通信装置は、アンテナと、筐体とを有する。筐体は、アンテナを収容するアンテナ収容部を有する。筐体は、アンテナ収容部（アンテナ）がスリットに挿通された状態で取付板に固定される。この結果、アンテナが光源ユニットよりも下方に配置される。
【先行技術文献】
【特許文献】
【０００３】
【特許文献１】特開２０１７−９１９５８号公報
【発明の概要】
【発明が解決しようとする課題】
【０００４】
しかしながら、特許文献１に開示の照明器具では、アンテナが光源ユニットよりも下方に配置されるため、光源ユニットから出射される光がアンテナによって遮られる。光源ユニットから出射される光がアンテナによって遮られることにより、影及び発光ムラの少なくとも一方が照明器具の光出射面に生じる可能性がある。
【０００５】
本発明は上記課題に鑑み、光源から出射される光がアンテナによって遮られることを抑制できる照明器具を提供することを目的とする。
【課題を解決するための手段】
【０００６】
本願に開示する照明器具は、光源と、光源基板と、無線通信部とを備える。前記光源は、光を出射する。前記光源基板には、前記光源が配置される。前記無線通信部は、電波を受信するアンテナを有する。前記光源基板は、第１基板面と前記第１基板面とは反対側の第２基板面とを有する。前記第１基板面には、前記光源が配置される。前記無線通信部は、前記第２基板面側に配置される。
【０００７】
本願に開示する照明器具において、前記光源基板は、前記アンテナが受信する電波を通過させる第１領域を含む。前記アンテナの少なくとも一部は、前記第１領域と重なる。
【０００８】
本願に開示する照明器具において、前記光源基板は、前記第１領域とは異なる第２領域を含む。前記光源基板は、前記光源に電力を供給する導電パターンを含む。前記導電パターンは、前記第２領域に形成される。
【０００９】
本願に開示する照明器具において、前記第１領域は、前記光源基板を貫通する第１貫通孔を含む。
【００１０】
本願に開示する照明器具は、保持部材を更に有する。前記保持部材は、前記光源基板と前記無線通信部とを保持する。前記保持部材は、保持部材本体と第２貫通孔とを有する。前記第２貫通孔は、前記保持部材本体を貫通する。前記保持部材本体は、第１保持面と前記第１保持面とは反対側の第２保持面とを有する。前記無線通信部は、前記第１保持面側に配置される。前記光源基板は、前記第２保持面側に配置される。前記第２貫通孔は、前記第１領域と対向する位置に設けられる。
【００１１】
本願に開示する照明器具において、前記アンテナは、前記第１保持面との間に隙間を有する。
【００１２】
本願に開示する照明器具において、前記第１基板面は、前記光源基板の外周に沿った光源配置領域を含む。前記光源は、前記光源配置領域に配置される。前記第１領域は、前記光源配置領域よりも内側に配置される。
【００１３】
本願に開示する照明器具において、前記第１領域は、重なり領域と、周縁領域とを含む。前記重なり領域は、前記アンテナの少なくとも一部と重なる。前記周縁領域は、前記重なり領域とは異なる領域である。
【００１４】
本願に開示する照明器具において、前記無線通信部は、アンテナ基板を有する。前記アンテナ基板は、前記アンテナを含む。前記アンテナ基板は、前記アンテナが設けられるアンテナ実装面を有する。前記アンテナ実装面は、前記第１基板面と平行である。
【００１５】
本願に開示する照明器具において、前記光源に電力を供給する電源装置を更に備える。前記電源装置は、前記光源基板の外周よりも内側に配置される。
【発明の効果】
【００１６】
本発明の照明器具によれば、光源から出射される光がアンテナによって遮られることを抑制できる。
【図面の簡単な説明】
【００１７】
【図１】本発明の実施形態に係る照明器具を示す図である。
【図２】本発明の実施形態に係る照明器具の構成を示す分解斜視図である。
【図３】本発明の実施形態に係る照明器具の構成を示す分解斜視図である。
【図４】本発明の実施形態に係る電源部、無線通信部、無線ケース、及び本体シャーシを示す分解斜視図である。
【図５】本発明の実施形態に係るアダプター、電源部、無線通信部、無線ケース、及び本体シャーシを示す斜視図である。
【図６】（ａ）及び（ｂ）は、本発明の実施形態に係る無線通信部の構成を示す斜視図である。
【図７】（ａ）及び（ｂ）は、本発明の実施形態に係る無線通信部及び無線ケースを示す図であり、（ｃ）は、図７（ｂ）に示すＶＩＩＣ−ＶＩＩＣ線に沿った断面を示す図である。
【図８】図５に示すＶＩＩＩ−ＶＩＩＩ線に沿った断面を示す図である。
【図９】本発明の実施形態に係る第１装着部及びその近傍を示す上面図である。
【図１０】本発明の実施形態に係る第１装着部及びその近傍を示す上面図である。
【図１１】本発明の実施形態に係る第１電波通過領域とアンテナ領域との関係を示す図である。
【図１２】本発明の実施形態に係る第１光源基板及び第２光源基板を示す平面図である。
【図１３】本発明の実施形態に係る第２電波通過領域及びその近傍を示す図である。
【図１４】本発明の実施形態に係る本体部、光源部、及び光源カバーの構成を示す分解斜視図である。
【図１５】本発明の実施形態に係る本体部、光源部、及び光源カバーの構成を示す分解斜視図である。
【図１６】本発明の実施形態に係る第２電波通過領域とアンテナ領域との関係を示す図である。
【発明を実施するための形態】
【００１８】
以下、図面を参照して本発明に係る照明器具の実施形態について説明する。なお、図中、同一又は相当部分については同一の参照符号を付して説明を繰り返さない。
【００１９】
まず、図１を参照して、本実施形態に係る照明器具１００について説明する。図１は、本実施形態に係る照明器具１００を示す図である。
【００２０】
図１に示すように、照明器具１００は、天井面Ｃのような取付け面に取り付けられる。本実施形態において、照明器具１００は、平面視略円形形状のシーリングライトである。
【００２１】
次に、図２及び図３を参照して、本実施形態に係る照明器具１００の構成について説明する。図２及び図３は、本実施形態に係る照明器具１００の構成を示す分解斜視図である。詳しくは、図２は、上方から見た照明器具１００を示す。図３は、下方から見た照明器具１００を示す。
【００２２】
図２及び図３に示すように、照明器具１００は、本体カバー１、アダプター２、電源部３、無線通信部４、無線ケース５、本体部６、光源部７、光源カバー８、及びセード９を備える。以下では、照明器具１００のうち、本体カバー１が設けられる側を「照明器具１００の上側」とし、その反対側を「照明器具１００の下側」として本実施形態を説明する。また、照明器具１００を平面視したときの径方向を「径方向ＤＲ」として、本実施形態を説明する。
【００２３】
本体カバー１は、本体部６と連結する。本実施形態において、本体カバー１は、ビスなどの締結部材によって本体部６と連結する。本体カバー１は、金属製の板状部材である。本体カバー１は、光源部７及び電源部３の少なくとも一方から発せられる熱を吸収して外部へ放熱する材料であることが好ましい。本体カバー１は、例えば、鉄などの金属を材料として含む。
【００２４】
アダプター２は、電源部３に外部電源電圧を供給する。アダプター２は、連結部材２１と配線部材２２とを有する。連結部材２１は、配線部材２２と本体カバー１とを連結する。配線部材２２は、電源部３とソケットとを電気的に接続する。ソケットは、天井面Ｃに設けられる。アダプター２は、例えば、引掛けシーリングアダプターである。
【００２５】
電源部３は、無線通信部４及び光源部７に電力を供給する。電源部３は、電源装置３１、及び電源ケース３２を有する。電源装置３１は、電源回路及び電力制御回路を含む。電源回路は、アダプター２を介して供給される外部電源電圧を内部電源電圧に変換する。電源回路は、内部電源電圧を無線通信部４及び光源部７へ供給する。電力制御回路は、電源回路が供給する内部電源電圧を制御する。詳しくは、電源回路が供給する電流の電流値が無線通信部４から送信される通信信号に対応する一定値となるように内部電源電圧を制御する。この結果、無線通信部４から送信される通信信号に対応する光量及び相関色温度を有する光が照明器具１００から出射される。電源装置３１は、電源ケース３２に収容される。電源ケース３２は、本体部６に配置される。
【００２６】
無線通信部４は、同じ通信規格を利用して無線通信を行う通信機器と通信する。具体的には、無線通信部４は、通信機器から送信された信号（電波）を少なくとも受信する。本実施形態に係る無線通信部４は、通信機器との間で各種信号（電波）を送受信する。無線通信部４及び通信機器は、例えば、無線通信部４と通信機器とをペアリングするための設定信号を互いに送受信する。無線通信部４と通信機器とをペアリングすることにより、無線通信部４と通信機器との間で無線通信が可能になる。本実施形態において、無線通信部４は、ＺＩＧＢＥＥ（登録商標）のような近距離無線規格を利用して無線通信を行う。また、通信機器は、照明器具１００から出射される光の光量及び相関色温度の少なくとも一方を制御する信号を送信する。通信機器は、例えば、ネットワークに接続されたブリッジである。なお、通信機器は、ブリッジに限定されず、例えば、ネットワークに接続されたルーターであってもよい。ネットワークは、例えば、無線ＬＡＮ（Ｌｏｃａｌ  Ａｒｅａ  Ｎｅｔｗｏｒｋ）である。
【００２７】
無線通信部４は、信号線を介して電源装置３１と接続する。無線通信部４は、通信機器から受信した電波に応じて電源装置３１に通信信号を送信する。通信信号は、照明器具１００から出射される光の光量及び相関色温度の少なくとも一方を制御する制御信号である。また、無線通信部４は、電源装置３１から照明器具１００の状態を示す信号を受信する。無線通信部４は、照明器具１００の状態を示す信号（電波）を通信機器へ送信する。照明器具１００の状態を示す信号は、例えば、照明器具１００の調光状態及び調色状態の少なくとも一方を示す。
【００２８】
無線ケース５は、無線通信部４を収容する。無線ケース５は、本体部６に配置される。無線ケース５は、無線通信部４が送受信する電波が遮られることを抑制する素材を材料として含むことが好ましい。本実施形態において、無線ケース５は、ポリプロピレンのような樹脂を材料として含む。
【００２９】
本体部６は、本体カバー１、アダプター２、電源部３、無線ケース５、光源部７、光源カバー８、及びセード９を支持する。本体部６は、保持部材の一例である。本体部６は、本体シャーシ６１、及び金具６２を有する。本体シャーシ６１は、保持部材本体の一例である。本体シャーシ６１は、中央部分が下方に凹む円盤状の金属部材である。本体シャーシ６１の材料は、光源部７から発生される熱を吸収して外部へ放熱する材料であることが好ましい。本体シャーシ６１は、例えば、鉄のような金属を材料として含む。
【００３０】
本体シャーシ６１は、第１保持面６１ａ及び第１保持面６１ａとは反対側の第２保持面６１ｂを有する。第１保持面６１ａと第２保持面６１ｂとは平行である。本実施形態において、第１保持面６１ａは、本体シャーシ６１の上面を構成し、第２保持面６１ｂは、本体シャーシ６１の下面を構成する。
【００３１】
本体シャーシ６１は、開口部６１１及び収容空間６１２を有する。開口部６１１は、本体シャーシ６１の略中央に設けられる。開口部６１１は、本体シャーシ６１を貫通する。開口部６１１の形状は、平面視略円形形状である。開口部６１１には、アダプター２が挿通される。
【００３２】
収容空間６１２は、本体シャーシ６１の凹んだ部分に設けられる。詳しくは、収容空間６１２は、本体シャーシ６１の第１保持面６１ａ側に設けられる。収容空間６１２は、上方が開口する。収容空間６１２は、開口部６１１の外周に沿って設けられる。
【００３３】
収容空間６１２には、電源部３、無線通信部４、及び無線ケース５が配置される。換言すると、電源部３、無線通信部４、及び無線ケース５は、本体シャーシ６１の第１保持面６１ａ側に配置される。
【００３４】
本体カバー１は、第１保持面６１ａに配置される。本体カバー１は、収容空間６１２を覆うように本体シャーシ６１と連結する。本体カバー１と本体シャーシ６１とが連結すると、電源部３、無線通信部４、及び無線ケース５が本体カバー１によって覆われる。
【００３５】
金具６２は、本体シャーシ６１の第２保持面６１ｂに配置される。本体シャーシ６１は、金具６２を介してセード９を保持する。
【００３６】
光源部７は、光を出射する。光源部７は、光源基板７０を有する。本実施形態において、光源部７は、２つの光源基板７０を有する。光源基板７０は、プリント基板である。光源基板７０は、例えば、ガラスエポキシ樹脂を材料として含む。
【００３７】
各光源基板７０は、第１基板面７０ａ及び第１基板面７０ａとは反対側の第２基板面７０ｂを有する。第１基板面７０ａと第２基板面７０ｂとは平行である。本実施形態において、第１基板面７０ａは、光源基板７０の下面を構成し、第２基板面７０ｂは、光源基板７０の上面を構成する。
【００３８】
２つの光源基板７０の形状はそれぞれ、平面視略半円環状である。２つの光源基板７０は、平面視略円環形状を形成するように本体シャーシ６１の第２保持面６１ｂ側に配置される。詳しくは、２つの光源基板７０は、第２基板面７０ｂが第２保持面６１ｂと接触するように本体シャーシ６１に配置される。本実施形態において、２つの光源基板７０は、ビスなどの締結部材によって、本体シャーシ６１と連結する。
【００３９】
２つの光源基板７０のうちの一方は、本体シャーシ６１を挟んで無線通信部４と対向する。以下、２つの光源基板７０のうち、無線通信部４と対向する光源基板７０を「第１光源基板７１」と記載し、他方の光源基板７０を「第２光源基板７２」と記載する。
【００４０】
無線通信部４は、第１光源基板７１の第２基板面７０ｂと本体シャーシ６１を挟んで対向する。
【００４１】
光源部７は、複数の光源７３及び２つの光源基板コネクタ７４を更に有する。光源７３は、例えば、ＳＭＤ（Ｓｕｒｆａｃｅ  Ｍｏｕｎｔ  Ｄｅｖｉｃｅ）チップである。
【００４２】
複数の光源７３は、光を出射する。複数の光源７３は、第１光源基板７１の第１基板面７０ａ及び第２光源基板７２の第１基板面７０ａに分散して配置される。以下、複数の光源７３のうち、第１光源基板７１の第１基板面７０ａに配置される光源７３を「第１光源７３１」と記載し、第２光源基板７２の第１基板面７０ａに配置される光源７３を「第２光源７３２」と記載する。第１光源基板７１の第１基板面７０ａには、複数の第１光源７３１が配置される。第２光源基板７２の第１基板面７０ａには、複数の第２光源７３２が配置される。
【００４３】
２つの光源基板コネクタ７４は、第１光源基板７１の第１基板面７０ａ及び第２光源基板７２の第１基板面７０ａにそれぞれ配置される。以下、第１光源基板７１の第１基板面７０ａに配置される光源基板コネクタ７４を「第１光源基板コネクタ７４１」と記載し、第２光源基板７２の第１基板面７０ａに配置される光源基板コネクタ７４を「第２光源基板コネクタ７４２」と記載する。第１光源基板コネクタ７４１及び第２光源基板コネクタ７４２は、電力線を介して電源装置３１にそれぞれ接続する。
【００４４】
第１光源基板コネクタ７４１は、複数の第１光源７３１と電気的に接続する。第１光源７３１には、第１光源基板コネクタ７４１を介して電源部３から内部電源電圧が供給される。第２光源基板コネクタ７４２は、複数の第２光源７３２と電気的に接続する。第２光源７３２には、第２光源基板コネクタ７４２を介して電源部３から内部電源電圧が供給される。各光源７３は、内部電源電圧が供給されると、光を出射する。
【００４５】
光源カバー８は、光源部７を覆う。光源カバー８は、平面視略円環形状である。光源カバー８は、光源部７を覆うように本体シャーシ６１と連結する。光源カバー８は、例えば、ビスのような締結部材によって本体シャーシ６１と連結する。本実施形態において、光源カバー８は、複数の光源７３から出射される光を拡散させる。光源カバー８は、無線通信部４が送受信する電波が遮られることを抑制する素材を材料として含むことが好ましい。光源カバー８は、例えば、樹脂を材料として含む。
【００４６】
セード９は、金具６２を介して、本体シャーシ６１の第２保持面６１ｂに着脱自在に配置される。セード９が第２保持面６１ｂに配置されると、光源部７及び光源カバー８がセード９によって覆われる。セード９は、無線通信部４が送受信する電波が遮られることを抑制する素材を材料として含むことが好ましい。光源カバー８は、例えば、樹脂を材料として含む。
【００４７】
照明器具１００は、緩衝部材１００ｃを更に備える。緩衝部材１００ｃは、天井面Ｃに対する照明器具１００の移動を抑制する。緩衝部材１００ｃによって、照明器具１００のガタツキが抑制される。
【００４８】
続いて、図４及び図５を参照して、本実施形態に係る本体シャーシ６１の構成について説明する。図４は、本実施形態に係る電源部３、無線通信部４、無線ケース５、及び本体シャーシ６１を示す分解斜視図である。図５は、本実施形態に係るアダプター２、電源部３、無線通信部４、無線ケース５、及び本体シャーシ６１を示す斜視図である。詳しくは、図５は、アダプター２、電源部３、無線通信部４、及び無線ケース５が配置された本体シャーシ６１を斜め上方から見た図である。
【００４９】
図４に示すように、本体シャーシ６１は、開口部６１１、及び収容空間６１２に加え、内周部６１３、中間部６１４、外周部６１５、第１装着部６１６、及び第２装着部６１７を有する。収容空間６１２は、内周部６１３の第１保持面６１ａ、及び中間部６１４の第１保持面６１ａによって構成される。
【００５０】
内周部６１３は、開口部６１１から径方向ＤＲに外側へ向けて延びる。中間部６１４は、内周部６１３の外縁から径方向ＤＲの外側へ延びる。詳しくは、中間部６１４の形状は、径方向ＤＲの外側に向かうにつれて高くなる上傾斜である。外周部６１５は、中間部６１４の外縁から径方向ＤＲの外側に向けて延びる。
【００５１】
第１装着部６１６及び第２装着部６１７は、内周部６１３の第１保持面６１ａに設けられる。第１装着部６１６は、平坦な装着面６１６ｓを有する。
【００５２】
図５に示すように、第１装着部６１６には、無線ケース５が装着される。第２装着部６１７には、電源ケース３２が装着される。
【００５３】
続いて、図６（ａ）及び図６（ｂ）を参照して、本実施形態に係る無線通信部４の構成について説明する。図６（ａ）及び図６（ｂ）は、本実施形態に係る無線通信部４の構成を示す斜視図である。詳しくは、図６（ａ）は、無線通信部４の一方の面を示し、図６（ｂ）は、無線通信部４の他方の面を示す。
【００５４】
図６（ａ）に示すように、無線通信部４は、本体基板４１、アンテナ基板４２、スイッチボタン４３、ランプ４４、及び通信制御回路４５を有する。また、図６（ｂ）に示すように、無線通信部４は、無線基板コネクタ４６を有する。
【００５５】
図６（ａ）及び図６（ｂ）に示すように、本体基板４１は、第１本体基板面４１ａ、及び第１本体基板面４１ａとは反対側の第２本体基板面４１ｂを有する。第１本体基板面４１ａには、アンテナ基板４２、スイッチボタン４３、及びランプ４４が配置される。第２本体基板面４１ｂには、無線基板コネクタ４６が配置される。
【００５６】
アンテナ基板４２は、アンテナ４２３を含む。アンテナ４２３は、無線通信に使用される電波を送信又は受信する。アンテナ基板４２は、第１アンテナ基板面４２ａ、及び第１アンテナ基板面４２ａとは反対側の第２アンテナ基板面４２ｂを有する。アンテナ４２３は、第２アンテナ基板面４２ｂに設けられる。アンテナ基板４２が第１本体基板面４１ａに配置された状態において、第１アンテナ基板面４２ａと第１本体基板面４１ａとは平行である。詳しくは、第１アンテナ基板面４２ａは、第１本体基板面４１ａに接触する。なお、第２アンテナ基板面４２ｂは、アンテナ実装面の一例である。
【００５７】
アンテナ基板４２は、アンテナ領域４２１を有する。アンテナ４２３は、アンテナ領域４２１に設けられる。アンテナ領域４２１は、平面視略矩形形状である。アンテナ４２３は、例えば、アンテナ基板４２に形成された金属パターンである。
【００５８】
スイッチボタン４３は、作業者により操作されることで、例えば、通信制御回路４５の動作をリセットする。
【００５９】
ランプ４４は、点滅又は点灯することにより、通信制御回路４５の通信状態又は異常状態を通知する。ランプ４４は、例えば、ＬＥＤである。
【００６０】
通信制御回路４５は、無線通信を制御する。通信制御回路４５は、アンテナ４２３が受信する電波に基づいて通信信号を生成する。
【００６１】
無線基板コネクタ４６は、信号線及び電力線を介して、図２を参照して説明した電源装置３１と電気的に接続する。通信制御回路４５が生成した通信信号は、無線基板コネクタ４６及び信号線を介して、電源装置３１へ送信される。電力制御回路は、通信信号に基づいて電源回路が供給する電力を制御する。この結果、複数の光源７３の点灯状態が通信信号に対応する状態となる。
【００６２】
また、電力制御回路は、電源部３の状態を示す信号を無線基板コネクタ４６へ送信する。通信制御回路４５は、電源部３の状態を示す信号をアンテナ４２３から発生させる。この結果、通信機器が電源部３の状態を示す信号を受信する。
【００６３】
続いて、図１〜図８を参照して、本実施形態に係る無線通信部４及び無線ケース５について説明する。図７（ａ）及び図７（ｂ）は、本実施形態に係る無線通信部４及び無線ケース５を示す図である。詳しくは、図７（ａ）は、無線通信部４及び無線ケース５を示す斜視図を示す。図７（ｂ）は、無線通信部４及び無線ケース５を示す平面図である。図７（ｃ）は、図７（ｂ）に示すＶＩＩＣ−ＶＩＩＣ線に沿った断面を示す図である。図８は、図５に示すＶＩＩＩ−ＶＩＩＩ線に沿った断面を示す図である。
【００６４】
図７（ａ）〜図７（ｃ）に示すように、無線通信部４は、無線ケース５に収容される。詳しくは、図７（ｂ）に示すように、無線ケース５は、ケース底面５１を有する。図７（ｃ）に示すように、無線通信部４は、第２アンテナ基板面４２ｂがケース底面５１と対向するように無線ケース５に収容される。詳しくは、無線通信部４は、第２アンテナ基板面４２ｂがケース底面５１と平行になるように無線ケース５に収容される。
【００６５】
また、無線通信部４は、第２アンテナ基板面４２ｂとケース底面５１との間に第１隙間Ｓ１を形成するように無線ケース５に収容される。
【００６６】
図５を参照して説明したように、無線ケース５は、第１装着部６１６に取り付けられる。詳しくは、図８に示すように、無線ケース５は、ケース底面５１が装着面６１６ｓに平行となるように第１装着部６１６に装着される。無線ケース５には、第２アンテナ基板面４２ｂがケース底面５１と平行になるように、無線通信部４が収容されている。したがって、無線ケース５が第１装着部６１６に装着されると、第２アンテナ基板面４２ｂと装着面６１６ｓとが平行になる。
【００６７】
また、装着面６１６ｓは、第１基板面７０ａと平行である。したがって、無線ケース５が第１装着部６１６に装着されると、第２アンテナ基板面４２ｂと第１基板面７０ａとは平行になる。
【００６８】
また、第２アンテナ基板面４２ｂとケース底面５１との間には第１隙間Ｓ１が形成されている。したがって、第２アンテナ基板面４２ｂと第１保持面６１ａとの間には、第２隙間Ｓ２が形成される。よって、アンテナ４２３と第１保持面６１ａとの間には第２隙間Ｓ２以上の隙間が形成される。
【００６９】
続いて、図９〜図１１を参照して、本実施形態に係る本体シャーシ６１の構成について更に説明する。図９及び図１０は、本実施形態に係る第１装着部６１６及びその近傍を示す上面図である。詳しくは、図９は、第１装着部６１６に無線ケース５が装着されていない本体シャーシ６１の一部を示す。図１０は、第１装着部６１６に無線ケース５が装着された本体シャーシ６１の一部を示す。図１１は、本実施形態に係る第１電波通過領域６０１とアンテナ領域４２１との関係を示す図である。
【００７０】
図９に示すように、本体シャーシ６１は、第１電波通過領域６０１を更に有する。第１電波通過領域６０１は、本体シャーシ６１のうち、図６（ａ）及び図６（ｂ）を参照して説明したアンテナ４２３によって送受信される電波が、本体シャーシ６１の他の領域よりも通過しやすい領域である。
【００７１】
第１電波通過領域６０１は、内周部６１３に設けられる。第１電波通過領域６０１は、シャーシ貫通孔６０１ｈ及び孔縁部６０１ｆを含む。シャーシ貫通孔６０１ｈは、第２貫通孔の一例である。
【００７２】
シャーシ貫通孔６０１ｈは、本体シャーシ６１を貫通する。シャーシ貫通孔６０１ｈの形状は、図６（ａ）及び図６（ｂ）を参照して説明したアンテナ領域４２１の形状と対応する。本実施形態において、シャーシ貫通孔６０１ｈの形状は、略矩形形状である。
【００７３】
孔縁部６０１ｆは、シャーシ貫通孔６０１ｈの外縁を構成する。孔縁部６０１ｆは、第１孔縁６０１ａ、第２孔縁６０１ｂ、第３孔縁６０１ｃ、及び第４孔縁６０１ｄを含む。第１孔縁６０１ａは、シャーシ貫通孔６０１ｈを構成する４つの縁のうち、径方向ＤＲの外側の縁である。第２孔縁６０１ｂは、第１孔縁６０１ａと径方向ＤＲにおいて対向する。第３孔縁６０１ｃは、シャーシ貫通孔６０１ｈを構成する４つの縁のうち、電源部３から最も遠い縁である。第４孔縁６０１ｄは、第３孔縁６０１ｃと対向する。
【００７４】
図１０に示すように、第１電波通過領域６０１は、無線ケース５が第１装着部６１６に装着された状態において、アンテナ領域４２１と対向する。
【００７５】
詳しくは、照明器具１００を平面視した時に、第１電波通過領域６０１（シャーシ貫通孔６０１ｈ）の投影像は、アンテナ領域４２１の少なくとも一部を含む。本実施形態において、第１電波通過領域６０１の投影像は、アンテナ領域４２１の外形よりも大きく、アンテナ領域４２１の全ての領域を含む。
【００７６】
図１１に示すように、第１電波通過領域６０１は、第１重なり領域６０１ｇ（クロスハッチング）及び第１周縁領域６０１ｓ（斜めハッチング）を有する。第１重なり領域６０１ｇは、照明器具１００を平面視した場合において、アンテナ領域４２１と重なる領域である。第１周縁領域６０１ｓは、アンテナ領域４２１とは重ならない領域であり、第１重なり領域６０１ｇの周囲に形成される。
【００７７】
第１周縁領域６０１ｓは、照明器具１００を平面視した時に、第１重なり領域６０１ｇと孔縁部６０１ｆとの隙間の領域である。以下、第１重なり領域６０１ｇと孔縁部６０１ｆとの隙間を「本体隙間ＨＧ」と記載する。本体隙間ＨＧは、第１本体間隙ＨＧ１、第２本体間隙ＨＧ２、及び第３本体間隙ＨＧ３を含む。第１本体間隙ＨＧ１は、第１重なり領域６０１ｇと第１孔縁６０１ａとの間の隙間である。第２本体間隙ＨＧ２は、第１重なり領域６０１ｇと第３孔縁６０１ｃとの間の隙間である。第３本体間隙ＨＧ３は、第１重なり領域６０１ｇと第４孔縁６０１ｄとの間の隙間である。第１本体間隙ＨＧ１、第２本体間隙ＨＧ２、及び第３本体間隙ＨＧ３のそれぞれの大きさは、アンテナ４２３の仕様に応じて決定される。第１本体間隙ＨＧ１と、第２本体間隙ＨＧ２と、第３本体間隙ＨＧ３とはすべて同じ大きさであってもよいし、それぞれ異なる大きさであってもよい。
【００７８】
続いて、図１２〜図１４を参照して、本実施形態に係る第１光源基板７１及び第２光源基板７２について説明する。図１２は、本実施形態に係る第１光源基板７１及び第２光源基板７２を示す平面図である。詳しくは、図１２は、第１光源基板７１及び第２光源基板７２の第１基板面７０ａ側を示す。
【００７９】
図１２に示すように、第１光源基板７１は、第２電波通過領域７０１（斜めハッチング）及びパターン許容領域７０２を含む。なお、第２電波通過領域７０１は、第１領域の一例である。パターン許容領域７０２は、第２領域の一例である。
【００８０】
第２電波通過領域７０１は、第１光源基板７１のうち、図６（ａ）及び図６（ｂ）を参照して説明したアンテナ４２３が受信する電波が、第１光源基板７１の他の領域より通過しやすい領域である。
【００８１】
パターン許容領域７０２は、第１光源基板７１のうち、第２電波通過領域７０１以外の領域である。
【００８２】
パターン許容領域７０２は、複数の第１光源７３１が配置される光源配置領域７１０を含む。光源配置領域７１０は、第１光源配置領域７１１及び第２光源配置領域７１２を含む。第１光源配置領域７１１は、第２光源配置領域７１２よりも径方向ＤＲの外側に設けられる。第１光源配置領域７１１は、第１光源基板７１の外周に沿って設けられる。第２光源配置領域７１２は、第１光源基板７１の内周に沿って設けられる。本実施形態において、第１光源配置領域７１１及び第２光源配置領域７１２は、第１光源基板７１において半円弧状に設けられる。
【００８３】
複数の第１光源７３１の各々は、第１発光素子７３１ａ又は第２発光素子７３１ｂを含む。本実施形態において、第１発光素子７３１ａ及び第２発光素子７３１ｂは、ＬＥＤ（Ｌｉｇｈｔ  Ｅｍｉｔｔｉｎｇ  Ｄｉｏｄｅ）素子である。第１発光素子７３１ａが発光する光の相関色温度と第２発光素子７３１ｂが発光する光の相関色温度とは互いに異なる。詳しくは、第１発光素子７３１ａが発光する光の相関色温度は、第２発光素子７３１ｂが発光する光の相関色温度よりも高い。第１発光素子７３１ａが発光する光の相関色温度は、例えば、６５００ケルビンであり、第２発光素子７３１ｂが発光する光の相関色温度は、例えば、２７００ケルビンである。
【００８４】
複数の第１発光素子７３１ａの一部は、第１光源配置領域７１１に配置され、複数の第１発光素子７３１ａの残りは、第２光源配置領域７１２に配置される。また、複数の第２発光素子７３１ｂの一部は、第１光源配置領域７１１に配置され、複数の第２発光素子７３１ｂの残りは、第２光源配置領域７１２に配置される。第１発光素子７３１ａは、第１光源配置領域７１１において、第２発光素子７３１ｂを挟むように配置される。換言すると、第１光源配置領域７１１において、第１発光素子７３１ａと第２発光素子７３１ｂとは交互に配置される。同様に、第１発光素子７３１ａは、第２光源配置領域７１２において、第２発光素子７３１ｂを挟むように配置される。換言すると、第２光源配置領域７１２において、第１発光素子７３１ａと第２発光素子７３１ｂとは交互に配置される。
【００８５】
本実施形態において、第２電波通過領域７０１は、第１光源基板７１の第１光源配置領域７１１よりも径方向ＤＲの内側且つ第２光源配置領域７１２よりも径方向ＤＲの外側に設けられる。
【００８６】
第２光源基板７２は、パターン許容領域７０２のみを含む。換言すると、第２光源基板７２は、第２電波通過領域７０１を含まない。第２光源基板７２は、第２電波通過領域７０１を含まない以外の構成は、第１光源基板７１の構成と略同様である。
【００８７】
詳しくは、第２光源基板７２のパターン許容領域７０２は、光源配置領域７１０を含む。第２光源基板７２の光源配置領域７１０には、複数の第２光源７３２が配置される。詳しくは、第２光源基板７２の光源配置領域７１０は、第１光源配置領域７１１及び第２光源配置領域７１２を含む。複数の第２光源７３２の各々は、第１発光素子７３２ａ又は第２発光素子７３２ｂを含む。実施形態において、第１発光素子７３２ａ及び第２発光素子７３２ｂは、ＬＥＤ素子である。複数の第１発光素子７３２ａ及び複数の第２発光素子７３２ｂは、第１光源配置領域７１１及び第２光源配置領域７１２に分散して配置される。
【００８８】
第１光源基板７１の第１光源配置領域７１１及び第１光源基板７１の第２光源配置領域７１２と同様に、第１発光素子７３２ａ及び第２発光素子７３２ｂは、第２光源基板７２の第１光源配置領域７１１において、交互に配置される。また、第１発光素子７３２ａ及び第２発光素子７３２ｂは、第２光源基板７２の第２光源配置領域７１２において、交互に配置される。
【００８９】
続いて、図１３を参照して、本実施形態に係る第２電波通過領域７０１及びパターン許容領域７０２について説明する。図１３は、本実施形態に係る第２電波通過領域７０１及びその近傍を示す図である。詳しくは、図１３は、第１光源基板７１の一部を示す。
【００９０】
図１３に示すように、パターン許容領域７０２は、導電パターン形成領域Ｐ（ドッドハッチング）を含む。導電パターン形成領域Ｐには、導電パターンが形成される。導電パターンは、銅箔のような導電部材によって構成される。導電パターン形成領域Ｐは、端子部７５を含む。端子部７５には、図３を参照して説明した第１光源基板コネクタ７４１が設けられる。導電パターンは、各光源７３と端子部７５と接続する。
【００９１】
第２電波通過領域７０１は、図６（ａ）及び図６（ｂ）を参照して説明したアンテナ領域４２１の形状と対応する。換言すると、図９〜図１１を参照して説明した第１電波通過領域６０１の形状と対応する。本実施形態において、第２電波通過領域７０１の形状は、略矩形形状である。
【００９２】
第２電波通過領域７０１は、境界部７０１ｋを有する。境界部７０１ｋは、第１境界部７０１ａ、第２境界部７０１ｂ、第３境界部７０１ｃ、及び第４境界部７０１ｄを含む。第１境界部７０１ａは、第２電波通過領域７０１を構成する４つの境界のうち、径方向ＤＲの外側の境界である。第２境界部７０１ｂは、第１境界部７０１ａと対向する。第３境界部７０１ｃは、第２電波通過領域７０１を構成する４つの境界のうち、第１光源基板７１の端子部７５側の境界である。第４境界部７０１ｄは、第３境界部７０１ｃと対向する。
【００９３】
第２電波通過領域７０１は、導電パターン形成領域Ｐを含まない。一方、パターン許容領域７０２（図１２参照）は、導電パターン形成領域Ｐを含む。
【００９４】
続いて、図１４〜図１６を参照して、本実施形態に係る第２電波通過領域７０１について説明する。図１４及び図１５は、本実施形態に係る本体部６、光源部７、及び光源カバー８の構成を示す分解斜視図である。詳しくは、図１４は、斜め下方から見た本体部６、光源部７、及び光源カバー８を示す。図１５は、斜め上方から見た本体部６、光源部７、及び光源カバー８を示す。図１６は、本実施形態に係る第２電波通過領域７０１とアンテナ領域４２１との関係を示す図である。なお、図１４及び図１５では、理解を容易にするために、第２電波通過領域７０１を斜めハッチングで示している。
【００９５】
図１４、及び図１５に示すように、第１光源基板７１が本体シャーシ６１に取り付けられると、第２電波通過領域７０１は、図９を参照して説明した第１電波通過領域６０１と対向する。図１０を参照して説明したように、第１電波通過領域６０１は、アンテナ領域４２１と対向する。したがって、第２電波通過領域７０１は、アンテナ領域４２１と対向する。本実施形態において、第２電波通過領域７０１の形状は、第１電波通過領域６０１の形状と略一致する。また、第２電波通過領域７０１の大きさは、第１電波通過領域６０１の大きさと略一致する。
【００９６】
したがって、図１６に示すように、照明器具１００を平面視した時の第２電波通過領域７０１の投影像は、アンテナ領域４２１の少なくとも一部を含む。本実施形態において、第２電波通過領域７０１の投影像は、アンテナ領域４２１よりも大きく、アンテナ領域４２１の全ての領域を含む。
【００９７】
詳しくは、第２電波通過領域７０１は、第２重なり領域７０１ｇ（クロスハッチング）及び第２周縁領域７０１ｓ（斜めハッチング）を有する。第２重なり領域７０１ｇは、重なり領域の一例であり、第２周縁領域７０１ｓは、周縁領域の一例である。
【００９８】
第２重なり領域７０１ｇは、照明器具１００を平面視した場合において、アンテナ領域４２１と重なる領域である。第２周縁領域７０１ｓは、アンテナ領域４２１とは重ならない領域であり、第２重なり領域７０１ｇの周囲に形成される。
【００９９】
第２周縁領域７０１ｓは、照明器具１００を平面視した時に、第２重なり領域７０１ｇと第２周縁領域７０１ｓとの隙間の領域である。以下、第２重なり領域７０１ｇと第２周縁領域７０１ｓとの隙間を「基板隙間ＫＧ」と記載する。基板隙間ＫＧは、第１基板間隙ＫＧ１、第２基板間隙ＫＧ２、及び第３基板間隙ＫＧ３を含む。第１基板間隙ＫＧ１は、第２重なり領域７０１ｇと第１境界部７０１ａとの間の隙間である。第２基板間隙ＫＧ２は、第２重なり領域７０１ｇと第３境界部７０１ｃとの間の隙間である。第３基板間隙ＫＧ３は、第２重なり領域７０１ｇと第４境界部７０１ｄとの間の隙間である。第１基板間隙ＫＧ１、第２基板間隙ＫＧ２、及び第３基板間隙ＫＧ３のそれぞれの大きさは、アンテナ４２３の仕様に応じて決定される。第１基板間隙ＫＧ１と、第２基板間隙ＫＧ２と、第３基板間隙ＫＧ３とはすべて同じ大きさであってもよいし、それぞれ異なる大きさであってもよい。
【０１００】
本実施形態において、第１重なり領域６０１ｇの形状と第２重なり領域７０１ｇの形状とは略一致し、第１重なり領域６０１ｇの大きさと第２重なり領域７０１ｇの大きさとは略一致する。
【０１０１】
以上、本発明の本実施形態について説明した。本実施形態によれば、２つの光源基板７０はそれぞれ、第１基板面７０ａ及び第２基板面７０ｂを有する。２つの光源基板７０の第１基板面７０ａには、複数の光源７３が配置される。第２基板面７０ｂは、第１基板面７０ａとは反対側の面である。そして、無線通信部４は、２つの光源基板７０のうちの一方（第１光源基板７１）の第２基板面７０ｂ側に位置する。したがって、無線通信部４は、２つの光源基板７０よりも下方に突出しない。その結果、複数の光源７３から出射される光が無線通信部４によって遮られることが抑制され、照明器具１００の点灯時に影又及び発光ムラの少なくとも一方がセード９に生じることが抑制できる。
【０１０２】
また、本実施形態によれば、無線通信部４は、第１光源基板７１の第１基板面７０ａ側から突出しない。したがって、無線通信部４と光源カバー８とが干渉しないため、光源カバー８の上下方向の長さを小さくできる。その結果、照明器具１００の上下方向の長さ（照明器具１００の厚さ）を小さくすることができる。よって、照明器具１００の薄型化を実現することができる。
【０１０３】
また、本実施形態において、アンテナ領域４２１は、第１電波通過領域６０１及び第２電波通過領域７０１と対向する。したがって、アンテナ４２３が送受信する電波が本体シャーシ６１及び光源基板７０の導電パターンによって遮られることが抑制される。
【０１０４】
また、本実施形態において、第１電波通過領域６０１は、第１周縁領域６０１ｓを有する。第１周縁領域６０１ｓは、照明器具１００を平面視した時に、アンテナ領域４２１とは重ならない領域である。したがって、アンテナ４２３が受信する電波が本体シャーシ６１によって遮られることが抑制される。
【０１０５】
また、本実施形態において、第２電波通過領域７０１は、第２周縁領域７０１ｓを有する。第２周縁領域７０１ｓは、照明器具１００を平面視した時に、アンテナ領域４２１と重ならない領域である。したがって、アンテナ４２３が送受信する電波が第１光源基板７１の導電パターンによって遮られることが抑制される。
【０１０６】
また、本実施形態において、無線通信部４は、第１光源基板７１の第２基板面７０ｂ側に配置される。換言すると、無線通信部４は、第１光源基板７１のうち、照明器具１００の利用者が視認できない側の面に配置される。よって、照明器具１００の美観を向上させることができる。
【０１０７】
また、本実施形態において、無線通信部４は、第１光源基板７１の第２基板面７０ｂ側に配置される。これにより、埃などの異物が無線通信部４に付着し難くなる。この結果、無線通信部４の性能が異物の付着に起因して低下することを抑制できる。例えば、電波を送受信する性能が異物の付着に起因して低下することを抑制できる。また、無線通信部４の故障を抑制することができる。
【０１０８】
また、本実施形態において、第２電波通過領域７０１は、光源基板７０において導電パターンが形成されない領域によって構成される。したがって、第２電波通過領域７０１は、光源基板７０の形状を変更することなく、基板パターンの設計によって設けることができる。よって、第２電波通過領域７０１を第１光源基板７１に容易に設けることができる。また、導電パターンの設計によって第２電波通過領域７０１を設けることにより、第２電波通過領域７０１の形状の自由度を高めることができる。更に、第２電波通過領域７０１の位置を容易に変更することができる。
【０１０９】
また、本実施形態において、本体シャーシ６１は、第１電波通過領域６０１を有する。第１電波通過領域６０１は、本体シャーシ６１を貫通する孔を含む。したがって、アンテナ４２３が受信する電波が本体シャーシ６１によって遮られることが抑制される。
【０１１０】
また、例えば、第１光源配置領域７１１よりも径方向ＤＲの外側に第２電波通過領域７０１を設けた場合、第１光源配置領域７１１と照明器具１００の外縁との間に第２電波通過領域７０１を設けるスペースが必要となる。この結果、光源基板７０の外形寸法を大きくしなければならない。本実施形態において、第２電波通過領域７０１は、第１光源配置領域７１１よりも径方向ＤＲの内側に配置される。したがって、各光源基板７０の外形寸法を変更する必要がない。詳しくは、光源基板７０に第２電波通過領域７０１を設けた場合であっても、光源基板７０の外形寸法を大きくする必要がない。したがって、照明器具１００の大型化を抑制できる。
【０１１１】
また、例えば、第１光源配置領域７１１よりも径方向ＤＲの外側に第２電波通過領域７０１を設けた場合、第１光源配置領域７１１と照明器具１００の外縁との間に第２電波通過領域７０１を設けるスペースが必要となる。この結果、第１光源配置領域７１１を照明器具１００の外縁の近傍に配置することができなくなる。本実施形態によれば、第２電波通過領域７０１は、第１光源配置領域７１１よりも径方向ＤＲの内側に配置される。これにより、第１光源配置領域７１１を照明器具１００の外縁により近接して配置することができる。したがって、光源７３が出射する光を広範囲にわたって拡散させることができる。
【０１１２】
また、本実施形態において、無線通信部４は、アンテナ基板４２の第２アンテナ基板面４２ｂが、光源基板７０の第１基板面７０ａと平行となるように本体シャーシ６１に配置される。これにより、例えば、第２アンテナ基板面４２ｂが第１基板面７０ａと交差するように無線通信部４が配置される構成（特開２０１７−９１９５８号公報に開示の構成）と比べて、照明器具１００を薄型化することができる。
【０１１３】
また、本実施形態において、電源部３は、光源基板７０の外周よりも径方向ＤＲの内側に配置され、無線通信部４は、光源基板７０の外周よりも内側に配置される。これにより、電源部３と無線通信部４との間の距離を短くすることができる。したがって、電源部３と無線通信部４との接続作業を容易にすることができる。この結果、照明器具１００の組立作業効率が向上する。また、電源部３と無線通信部４との間の距離を短くすることにより、電源部３と無線通信部４とを接続する信号線などの配線の全長を短くすることができる。よって、照明器具１００のコストを削減することができる。
【０１１４】
また、本実施形態において、アンテナ４２３は、上下方向において、本体シャーシ６１との間に隙間（第２隙間Ｓ２以上の隙間）を有する。したがって、アンテナ４２３が受信する電波が本体シャーシ６１によって遮られることを抑制できる。
【０１１５】
また、本実施形態において、光源配置領域７１０において、第１発光素子７３１ａと第２発光素子７３１ｂとは交互に配置される。これにより、第１発光素子７３１ａ及び第２発光素子７３１ｂのいずれか一方のみが点灯状態である場合に照度ムラの発生が抑制される。
【０１１６】
同様に、光源配置領域７１０において、第１発光素子７３２ａと第２発光素子７３２ｂとは交互に配置される。これにより、第１発光素子７３２ａ及び第２発光素子７３２ｂのいずれか一方のみが点灯状態である場合に照度ムラの発生が抑制される。
【０１１７】
なお、本実施形態において、第２電波通過領域７０１は、光源基板７０のうち、導電パターンが形成されない領域によって構成されたが、第２電波通過領域７０１は、光源基板７０を貫通する光源貫通孔によって構成されてもよい。これにより、アンテナ４２３が受信する電波が光源基板７０によって遮られることが抑制される。なお、光源貫通孔は、第１貫通孔の一例である。
【０１１８】
また、本実施形態において、光源部７が複数の光源７３を有したが、光源部７が有する光源７３の数は１つであってもよい。
【０１１９】
また、本実施形態において、光源部７が２つの光源基板７０を有したが、光源部７が有する光源基板７０の数は、１つ又は３つ以上であってもよい。
【０１２０】
また、本実施形態において、パターン許容領域７０２が２つの光源配置領域７１０を含む構成を説明したが、光源配置領域７１０の数は１つ、又は３つ以上であってもよい。
【０１２１】
また、本実施形態において、光源配置領域７１０は円環状であったが、光源配置領域７１０は、円環状でなくてもよい。また、光源配置領域７１０は、各光源基板７０において、分散して配置されてもよい。
【０１２２】
また、本実施形態において、第１発光素子７３１ａ、第２発光素子７３１ｂ、第１発光素子７３２ａ、及び第２発光素子７３２ｂがＬＥＤ素子である場合を説明したが、第１発光素子７３１ａ、第２発光素子７３１ｂ、第１発光素子７３２ａ、及び第２発光素子７３２ｂは、ＬＥＤ素子に限定されない。第１発光素子７３１ａ、第２発光素子７３１ｂ、第１発光素子７３２ａ、及び第２発光素子７３２ｂは、例えば、有機ＥＬ（Ｏｒｇａｎｉｃ  Ｅｌｅｃｔｒｏ  Ｌｕｍｉｎｅｓｃｅｎｃｅ）素子であってもよい。
【０１２３】
また、本実施形態において、第１重なり領域６０１ｇの形状と第２重なり領域７０１ｇの形状とが略一致する場合を説明したが、第１重なり領域６０１ｇの形状と第２重なり領域７０１ｇの形状とは異なってもよい。
【０１２４】
また、本実施形態において、第１重なり領域６０１ｇの大きさと第２重なり領域７０１ｇの大きさとが略一致する場合を説明したが、第１重なり領域６０１ｇの大きさと第２重なり領域７０１ｇの大きさとは異なってもよい。
【０１２５】
また、本実施形態において、第１発光素子７３１ａが発光する光の相対色温度と第２発光素子７３１ｂが発光する光の相対色温度とが異なる場合を説明したが、第１発光素子７３１ａが発光する光の相対色温度と第２発光素子７３１ｂが発光する光の相対色温度とは同じであってもよい。同様に、第１発光素子７３２ａが発光する光の相対色温度と、第２発光素子７３２ｂが発光する光の相対色温度とは同じであってもよい。
【０１２６】
また、本実施形態において、第１発光素子７３１ａと第２発光素子７３１ｂとが光源配置領域７１０において交互に配置される場合を説明したが、第１発光素子７３１ａと第２発光素子７３１ｂとは交互に配置されていなくてもよい。
【０１２７】
同様に、本実施形態において、第１発光素子７３２ａと第２発光素子７３２ｂとが光源配置領域７１０において交互に配置される場合を説明したが、第１発光素子７３２ａと第２発光素子７３２ｂとは交互に配置されていなくてもよい。
【０１２８】
以上、本発明の実施形態について、図面（図１〜図１６）を参照しながら説明した。但し、本発明は、上記の実施形態に限られるものではなく、その要旨を逸脱しない範囲で種々の態様において実施することが可能である。また、上記の実施形態で示す形状等は、一例であって特に限定されるものではなく、本発明の効果から実質的に逸脱しない範囲で種々の変更が可能である。
【０１２９】
例えば、本発明の実施形態では、シーリングライトに本発明が適用される場合を説明したが、本発明は、例えば、ベースライト又はダウンライトにも適用可能である。
【産業上の利用可能性】
【０１３０】
本発明は、例えば、照明器具の分野に有用である。
【符号の説明】
【０１３１】
３            電源部
４            無線通信部
６            本体部（保持部材）
３１          電源装置
４２          アンテナ基板
４２ａ        第１アンテナ基板面（アンテナ実装面）
６１          本体シャーシ（保持部材本体）
６１ａ        第１保持面
６１ｂ        第２保持面
７０          光源基板
７０ａ        第１基板面
７０ｂ        第２基板面
７１          第１光源基板
７２          第２光源基板
７３          光源
１００        照明器具
４２１        アンテナ領域
４２３        アンテナ
６０１        第１電波通過領域
６０１ｈ      シャーシ貫通孔（第２貫通孔）
７０１        第２電波通過領域（第１領域）
７０１ｇ      第２重なり領域（重なり領域）
７０１ｓ      第２周縁領域（周縁領域）
７１１        第１光源配置領域（光源配置領域）
【図１】
2020053317.tif 000003
【図２】
2020053317.tif 000004
【図３】
2020053317.tif 000005
【図４】
2020053317.tif 000006
【図５】
2020053317.tif 000007
【図６】
2020053317.tif 000008
【図７】
2020053317.tif 000009
【図８】
2020053317.tif 000010
【図９】
2020053317.tif 000011
【図１０】
2020053317.tif 000012
【図１１】
2020053317.tif 000013
【図１２】
2020053317.tif 000014
【図１３】
2020053317.tif 000015
【図１４】
2020053317.tif 000016
【図１５】
2020053317.tif 000017
【図１６】
2020053317.tif 000018